(57)【要約】【課題】  現状の太陽光発電システムと比較し電力損失が少なく、低コストで信頼度の高い太陽電池を用いた住宅用直流給電システムを提供する。【解決手段】太陽電池の出力と商用電源の交流電圧を直流電圧に変換する交流−直流電圧変換回路の出力を接続し、直流電圧をノイズフィルタを介して他の直流電圧値に変換する絶縁型ＤＣ−ＤＣコンバータ、交流電圧に変換するインバータ、および冷水や温水の生成、冷暖房などの熱エネルギーに変換する電気−熱変換装置に供給する。【選択図】図１
2008283841.tif 000002
【特許請求の範囲】
【請求項１】
太陽電池とダイオードの直列回路の出力と交流−直流電圧変換回路の出力を接続し、ノイズフィルタを介して直流電圧を負荷に供給することを特徴とする住宅用直流電圧給電システム
【請求項２】
前記交流−直流電圧変換回路の出力電圧が前記太陽電池の開放電圧以下で、前記太陽電池が定電流特性となる電圧以上であることを特徴とする請求項１記載の住宅用直流電圧給電システム
【請求項３】
前記負荷が家電機器と電気−熱変換装置であることを特徴とする請求項１記載の住宅用直流電圧給電システム
【発明の詳細な説明】
【技術分野】
【０００１】  本発明は太陽電池と商用電源の交流電圧を直流電圧に変換する交流−直流電圧変換回路を用いた住宅用直流電圧給電システムに関する。
【背景技術】
【０００２】  太陽光発電システムは太陽電池出力が天候に大きく左右され、かつ夜間は発電しないことから、その不安定さを商用電源で補い安定した交流電力を家電機器に供給できるように現状の住宅用太陽光発電システムは構築されている。このため住宅用太陽光発電システムでは太陽電池が発電した直流電圧を商用電源と系統連系したパワーコンディショナを用いて交流電圧に変換し家電機器に交流電力を供給しつつ、太陽電池の余剰電力は商用電源に逆潮流させて、電力を売電するシステム構成となっている。【０００３】
2008283841.tif 000003
圧が上昇するのを防止する機能  などの機能を有する電流制御型パワーコンディショナを適用し、太陽電池出力の有効活用や商用電源に悪影響を与えないようなシステム構成が検討されている。【０００４】  一方、負荷として照明装置が大きな比重を占めるオフィスビルなどでは、日射などの環境条件が変化しても太陽電池の発電効率を高レベルに維持するＤＣ−ＤＣチョッパーを介して直流電力を平日は照明装置に、照明装置を使用しない休日は蓄熱装置に供給し、太陽電池の出力が不足する場合は商用電源の交流電力を直流電力に変換する整流器で賄う太陽光発電システムが特許文献１に開示されている。
【特許文献１】特開平７−２３４７３４
【発明の開示】
【発明が解決しようとする課題】
【０００５】  図３に現状の住宅用太陽光発電システムの基本構成例を示す。１は商用電源、２は太陽電池、３は逆流防止ダイオード、６は家電機器、９はパワーコンディショナ、１０はチャージコントローラ、１１は蓄電池である。太陽電池１で発電された直流電力は逆流防止ダイオード３を介してパワーコンディショナ９とチャージコントローラ１０に供給される。パワーコンディショナ９は太陽電池１で発電された直流電圧を商用電源に同期した交流電圧に変換し、家電機器６に交流電力を供給する。チャージコントローラ１０は蓄電池１１の過充電や過放電を防止し、蓄電池１１の充電を良好な状態に保つ機能を有する。【０００６】  夜間や雨天日など日射が得られない時は太陽電池２は発電しないので、商用電源１から交流電力を家電機器６に供給する。蓄電池１１は日射量が急変し太陽電池２の出力に変動が発生すると、商用電源に過渡変動を与え電圧変動、周波数変動の原因になるので、これを回避するためバッファとして使用する。【０００７】  図４に住宅用太陽光発電システムと家電機器の電源を含めた接続系統例を示す。図３と同等構成については同符号を付することとする。図４に直流電圧を必要とする家電機器６の代表例として６ｂはビデオ、６ｄはテレビ、交流電圧を必要とする家電機器６の代表例として６ｆは洗濯機、６ｈは掃除機を示す。６ａはビデオ６ｂの電源、６ｃはテレビ６ｄの電源、６ｅは洗濯機６ｆの電源、６ｇは掃除機６ｈの電源である。【０００８】  電源６ａはノイズフィルタ６ａ１、整流回路６ａ２、平滑フィルタ６ａ３、絶縁型ＤＣ−ＤＣコンバータ６ａ４、電源６ｃはノイズフィルタ６ｃ１、整流回路６ｃ２、平滑フィルタ６ｃ３、絶縁型ＤＣ−ＤＣコンバータ６ｃ４、電源６ｅはノイズフィルタ６ｅ１、整流回路６ｅ２、平滑フィルタ６ｅ３、インバータ６ｅ４、電源６ｇはノイズフィルタ６ｇ１、整流回路６ｇ２、平滑フィルタ６ｇ３、インバータ６ｇ４で構成されている。【０００９】  直流電圧を必要とするビデオ６ｂの電源６ａは、交流電圧を整流回路６ａ２、平滑フィルタ６ａ３で直流電圧とし、絶縁型ＤＣ−ＤＣコンバータ６ａ４で電圧値の異なる直流電圧に変換する。ノイズフィルタ６ａ１は絶縁型ＤＣ−ＤＣコンバータ６ａ４のスイッチング動作に伴って発生する輻射雑音、伝導雑音を抑制する。テレビ６ｄの電源６ｃもビデオ６ｂの電源６ａと同じ動作を行う。電源６ａはビデオ６ｂに、電源６ｃはテレビ６ｄに内蔵されているのが一般的である。【００１０】  一方、交流電圧を必要とする家電機器６の洗濯機６ｆや掃除機６ｈなどは制御性の改善や省エネルギーの観点からインバータを搭載するようになっている。洗濯機６ｆの電源６ｅは交流電圧を整流回路６ｅ２、平滑フィルタ６ｅ３で直流電圧とし、インバータ６ｅ４で商用交流電圧とは異なった周波数、電圧の交流電圧に変換する。ノイズフィルタ６ｅ１はインバータ６ｅ４のスイッチング動作に伴って発生する輻射雑音、伝導雑音を抑制する。掃除機６ｈの電源６ｇも電源６ｅと同じ動作を行う。電源６ｅは洗濯機６ｆ、電源６ｇは掃除機６ｈに内蔵されているのが一般的である【００１１】  パワーコンディショナ９の最大電力追従機能、単独運転防止機能、商用電源電圧上昇防止機能な���に関しては解決すべき多くの課題が残されており、これらの機能を実現するために、抵抗、電解コンデンサ、インダクタ、電力半導体、冷却用ファン、トランスなど多くの部品で構成されていることから、太陽光発電システムのコスト上昇をもたらすばかりでなく、寸法が比較的大きくかつ、重量もあることから設置場所の制約もある。また、太陽電池２と直列に接続されることから、パワーコンディショナ９が異常になると太陽電池２が正常でも太陽電池２からの出力は家電機器６に供給できなくなるので、高信頼度が要求されることになる。【００１２】  この他にも、日射量が急変し太陽光発電システム出力が変動した場合に商用電源側に与える影響を極力抑えるために、蓄電池、電気二重層コンデンサなどのバッファの設置が検討されているが、蓄電池や電気二重層コンデンサの容量によっては、コストアップやメンテナンスなどが問題になる可能性がある。【００１３】  家電機器６の電源６ａ、電源６ｃ、電源６ｅ、電源６ｇで使用されている平滑フィルタの多くはコンデンサインプット型平滑フィルタで、インダクタとコンデンサで構成される平滑フィルタに比べ低コストで小型・軽量であるが、高調波電流が多く商用電源１の電圧やパワーコンディショナ９の出力電圧を歪ませ、商用電源の柱上トランスや進相コンデンサが発熱する原因になっている場合がある。【００１４】  また、小型・軽量化、高効率化の観点から電力半導体を用いたスイッチング技術を適用した絶縁型ＤＣ−ＤＣコンバータやインバータでは、スイッチングに伴う輻射雑音や伝導雑音が発生するが、雑音を抑制するために家電機器６の電源６ａ、電源６ｃ、電源６ｅ、電源６ｇにはノイズフィルタが必要であり、コストアップ、小型化の阻害要因になっている。【００１５】
2008283841.tif 000004
６の電源系統では、交流−直流−電圧値変換、交流電圧で動作する家電機器６の電
2008283841.tif 000005
コンディショナ９が太陽電池２と家電機器６の間に直列に接続されることによるシステム信
2008283841.tif 000006
【００１６】  特開平７−２３４７３４で提案されている太陽光発電システムの実施例を図５に示す。図５において図３と同等構成については同符号を付することとする。１２はＤＣ−ＤＣチョッパー回路、１３は整流器、１４は交流電圧−直流電圧入力蓄熱装置、１５は家電機器６の入力スイッチ、１６は交流電圧−直流電圧入力蓄熱装置の入力切換スイッチである。図５の太陽光発電システムでは直流給電が基本となっており、現状の太陽光発電システムで必要とするパワーコンディショナ９は使用しない。【００１７】  次に図５の動作を説明する。太陽電池２の出力電力は太陽電池２の出力電力が最大となるように入力インピーダンスを変化させるＤＣ−ＤＣチョッパー回路１２と家電機器６の入力スイッチ１５、又は家電機器６の入力スイッチ１５と交流電圧−直流電圧入力蓄熱装置１４の入力切換スイッチ１６を介して供給される。【００１８】  家電機器６の入力スイッチ１５がａ側になっている時は照明装置などの家電機器６にＤＣ−ＤＣチョッパー回路１２、あるいは整流器１３を介して直流電力が供給され、ｂ側になっているときは供給されない。一方、交流電圧−直流電圧入力蓄熱装置１４は交流電圧−直流電圧入力蓄熱装置１４の入力切換スイッチ１６がａ側になっているときは商用電源１から交流電力が供給され、家電機器６の入力スイッチ１５と交流電圧−直流電圧入力蓄熱装置１４の入力切換スイッチ１６がｂ側になるとＤＣ−ＤＣチョッパー回路１２、あるいは整流器１３を介して直流電力が供給される。【００１９】  つまり、太陽電池２の直流電力は家電機器６と交流電圧−直流電圧入力蓄熱装置１４は同時に給電されず、家電機器６を使用しない時のみ直流電力が交流電圧−直流電圧入力蓄熱装置１４に供給される。太陽電池２の発電容量が不足する場合は商用電源の交流電力を整流器１３で直流電力に変換して、不足する電力を家電機器６、又は交流電圧−直流電圧入力蓄熱装置１４に供給する。【００２０】  図５の太陽光発電システムでは余剰電力を逆潮流させないので、現状の太陽光発電システムで懸念される商用電源への悪影響は回避できるが、太陽電池２の出力を家電機器６と交流電圧−直流電圧入力蓄熱装置１４に同時に供給しないので、余剰電力が発生しても有効に活用できない問題がある。また、太陽電池２と家電機器６、あるいは交流電圧−直流電圧入力蓄熱装置１４の間にＤＣ−ＤＣチョッパー回路１２が挿入されているので電力変換損失が発生する。【００２１】  また、図５の太陽光発電システムでは太陽電池２が正常でもＤＣ−ＤＣチョッパー回路１２が故障すると、太陽電池２の出力電力が家電機器６、あるいは交流電圧−直流電圧入力蓄熱装置１４に供給できなくなる。また、家電機器６への直流給電は入力スイッチ１５、交流電圧−直流電圧入力蓄熱装置１４の直流給電は入力スイッチ１５と入力切換スイッチ１６、交流給電は入力切換スイッチ１６でそれぞれ行うので回路構成が複雑となり、システム信頼度が低下する。【００２２】  本発明は上述した問題点を解決するために、交流給電から直流給電とすることで、システム効率向上、システム信頼度向上、システムコスト低減、家電機器用電源の低コスト化と損失低減、さらに太陽電池のほぼ最大出力���得られる動作を可能とする住宅用直流給電システムを提供することにある。
【課題を解決するための手段】
【００２３】  太陽電池の出力と商用電源の交流電圧を直流電圧に変換する交流−直流電圧変換回路の出力を接続し、直流電圧をノイズフィルタを介して他の直流電圧値に変換する絶縁型ＤＣ−ＤＣコンバータ、交流電圧に変換するインバータ、および冷水や温水の生成、冷暖房などの熱エネルギーに変換する電気−熱変換装置に供給する。
【発明の効果】
【００２４】  本発明による住宅用直流給電システムでは直流電圧給電による高効率化により太陽電池容量が削減でき、太陽電池コスト、付帯設備費、施工費などの低減、省スペース化による設置自由度の向上、かつ高信頼度化が図れる。【００２５】  また、家電機器毎に内蔵されている電源の整流回路とコンデンサインプット型平滑フィルタを削除でき、また、共通のノイズフィルタを用いることでそれぞれの家電機器に内蔵されている電源のノイズフィルタも削除できるので、家電機器内蔵電源の低コスト化、小型・軽量化、高効率化が可能となる。【００２６】  逆潮流を行わない太陽光発電システムでは電気−熱変換装置が重要な役割を果たす。ビデオ、テレビ、洗濯機、掃除機などは一時的に使用することが多く消費電力の変動が大きいので、太陽電池出力の有効利用は困難であるが、電気−熱変換装置はほぼコンスタントに一定の電力を消費するので、ベースロードとして太陽電池出力を有効に活用できる。【００２７】  さらに、太陽電池の直流電圧と交流−直流電圧変換回路の出力電圧を比較することにより、ある日射条件下における太陽電池のほぼ最大出力が得られ、日射が変化し太陽電池の出力電圧が急変した場合は、交流−直流電圧変換回路のフィルタがバッファとして動作するので、蓄電池を削除しても商用電源への悪影響を回避することができる。【００２８】  商用電源で異常があった場合は太陽電池の出力電圧は交流−直流電圧変換回路の整流ダイオードが商用電源への伝導を防止するので単独運転による危険はない。
【発明を実施するための最良の形態】
【００２９】  家電機器の電源の多くは交流電圧を直流電圧に変換する整流回路を内蔵しており、この直流電圧をパワーエレクトロニクス技術により、必要な直流電圧や周波数の交流電圧に変換している。この傾向は今後ますます促進されると考えられることから、家電機器に５０Ｈｚや６０Ｈｚの交流電圧を供給する必要性はなくなりつつある。【００３０】  図１は本発明に係る太陽電池を用いた住宅用直流電圧給電システムの実施例である。１は商用電源、２は太陽電池、３は逆流防止ダイオード、４は交流−直流電圧変換回路、５はノイズフィルタ、６は家電機器、６ｂはビデオ、６ｄはテレビ、６ｆは洗濯機、６ｈは掃除機、８ａはビデオ６ｂの絶縁型ＤＣ−ＤＣコンバータ、８ｃはテレビ６ｄの絶縁型ＤＣ−ＤＣコンバータ、８ｅは洗濯機６ｆのインバータ、８ｇは掃除機６ｈのインバータ、７は例えばヒートポンプを用いた蓄熱装置や冷暖房装置などの電気−熱変換装置である。【００３１】  太陽電池２の直流電圧はノイズフィルタ５を介して家電機器６の絶縁型ＤＣ−ＤＣコンバータ８ａ、８ｃ、インバータ８ｅ、８ｇ、電気−熱変換装置７に供給される。商用電源１の交流電圧は交流−直流電圧変換回路４で直流電圧に変換され、ノイズフィルタ５を介して家電機器６の絶縁型ＤＣ−ＤＣコンバータ８ａ、８ｃ、インバータ８ｅ、８ｇ、電気−熱変換装置７に供給される。太陽電池２が日照不足で出力容量不足となった場合などは不足電力を商用電源１から供給する。【００３２】  絶縁型ＤＣ−ＤＣコンバータ８ａは太陽電池２の直流電圧をビデオ６ｂが必要とする直流電圧に、絶縁型ＤＣ−ＤＣコンバータ８ｃは太陽電池２の直流電圧をテレビ６ｄが必要とする直流電圧に変換する。インバータ８ｅは太陽電池２の直流電圧を洗濯機６ｆが必要とする周波数の交流電圧に、インバータ８ｇは太陽電池２の直流電圧を掃除機６ｈが必要とする周波数の交流電圧に変換する。【００３３】  次に太陽電池２の出力電圧・電流、交流−直流電圧変換回路４の出力電圧・電流の関連について図２を用いて説明する。図２において横軸Ｉは出力電流、縦軸Ｖは出力電圧である。図２は日射の異なる太陽電池２の出力特性例を示している。太陽電池２の出力特性は定電圧領域と定電流領域に分けることができ、日射の強さの違いにより定電流特性、特に短絡電流は大きく変化するが、定電圧領域は比較的変化は少ないこと、定電圧領域から定電流領域に移行する出力電圧と出力電流の積がほぼ最大出力電力になることは周知の事実である。Ａは平均的な日射の時の開放電圧Ｖ１、短絡電流Ｉ１の特性、Ｂは日射が最大のときの開放電圧Ｖ２、短絡電流Ｉ２の特性であると仮定する。【００３４】  出力電流が０のときの交流−直流電圧変換回路４の出力電圧を太陽電池２の開放電圧Ｖ１、Ｖ２より低いＶ３に設定する。Ｃは交流−直流電圧変換回路４の出力電圧−電流特性で、図２に示すように出力電流が増加するに従って出力電圧が減少するレギュレーション特性になるように設定する。交流−直流電圧変換回路４の出力電圧Ｖ３を電圧Ｄとすると、太陽電池２の出力電圧が交流−直流電圧変換回路４の出力電圧より高い領域、つまり電圧Ｄから太陽電池２の特性Ａの電圧Ｅ、または電圧Ｄから太陽電池２の特性Ｂの電圧Ｋまでは、太陽電池２の出力電圧が交流−直流電圧変換回路４の出力電圧より高いので、家電機器６と電気−熱変換装置７には太陽電池２からのみ直流電力が供給される。【００３５】  太陽電池２の出力電流が増加すると、太陽電池２の出力電圧が低下し、出力電圧は特性Ａの電圧Ｇと交流−直流電圧変換回路４の特性Ｃの電圧Ｆが等しくなる。電圧Ｆの電流をＩ３、電圧Ｇの電流をＩ４とすると、システム出力電流は電流Ｉ３と電流Ｉ４の和となる。【００３６】  出力電流が増加して電圧Ｈでは太陽電池２の特性Ａの出力電圧と電流と交流−直流電圧変換回路４の特性Ｃの出力電圧は等しくなり、したがって、出力電流も等しくなる。電圧Ｈでは太陽電池２の出力は定電圧特性から定電流特性に移行するので、太陽電池２の出力電力はほぼ最大になる。さらに出力電流が増加して、太陽電池２の特性Ａが定電流領域に入り始めると、出力電圧が急速に低下し電圧Ｊと交流−直流電圧変換回路４の特性Ｃの電圧Ｋが等しくなる。システム出力電流は電圧Ｊの電流Ｉ５と電圧Ｋの電流Ｉ６の和となる。太陽電池２の特性Ａが定電流領域にあるため電流の増加は少なく、出力電流増加の大部分は交流−直流電圧変換回路４から供給される。【００３７】  太陽電池２の特性Ｂでは電圧Ｌにおける太陽電池２の出力電圧と交流−直流電圧変換回路４の出力電圧Ｖ３が等しくなる。太陽電池２の出力電流が増加すると、太陽電池２の出力電圧が低下し、電圧Ｍで交流−直流電圧変換回路４の特性Ｃの出力電圧が太陽電池２の出力電圧と等しくなる。電圧Ｍでは太陽電池２の出力電流と交流−直流電圧変換回路４の出力電流は等しくなる。電圧Ｍでは太陽電池２の出力は定電圧特性から定電流特性に移行するので、太陽電池２の出力電力はほぼ最大になる。電圧Ｌと電圧Ｍの間で太陽電池２の特性Ｂが定電流領域に入り出力電圧が低下し始め、交流−直流電圧変換回路４からも家電機器６と電気−熱変換装置７に電流が供給されるようになり、システム出力電流は太陽電池２の出力電流と交流−直流電圧変換回路４の出力電流の和となる。【００３８】  以上説明したように、太陽電池の出力特性の定電圧領域と定電流領域、日射の強さの違いによる定電流特性の変化が定電圧特性の変化より大きいことに着目し、交流−直流電圧変換回路４の出力電圧を太陽電池２の定電圧特性から定電流特性に移行する電圧に設定すれば、日射変動があった場合でも太陽電池２の出力電力をほぼ最大にすることができる。【００３９】  電気−熱変換装置の消費電力は平均的な日射の時の太陽電池出力電力の最大値に設定するか、太陽光発電システムの出力容量を電気−熱変換装置の消費電力に合わせることにより、テレビ、ビデオ、洗濯機、掃除機などの消費電力が変動しても、太陽電池の出力を有効に活用することが可能である。【００４０】  次に図１の本発明の住宅用直流給電システム効率と図４、図５で提案されている太陽光発電システム効率を以下の仮定で比較する。
図１における本発明の住宅用直流給電システムにおける家電機器６の消費電力をビデオ６ｂは５０Ｗ、テレビ６ｄは３００Ｗ、洗濯機６ｆは１５００Ｗ、掃除機６ｈは１０００Ｗで合計２８５０Ｗ、絶縁型ＤＣ−ＤＣコンバータの効率を９０％、インバータの効率を９２％、逆流防止ダイオード３の効率を９９．５％と仮定すると、太陽電池２の出力電力は３１２２Ｗとなるから、効率は９１．３％である。【００４１】  図４の現状の太陽光発電システムは家電機器６の消費電力を図１と同じ２８５０Ｗ、イズフィルタ＋全波整流回路＋コンデンサインプット型平滑フィルタ＋絶縁型ＤＣ−ＤＣコンバータの効率を８８％、ノイズフィルタ＋全波整流回路＋コンデンサインプット型平滑フィルタ＋インバータの効率を９０％％、パワーコンディショナ９の効率を９２％、逆流防止ダイオード３の効率を９９．５％と仮定すると、太陽電池２の出力電力は３４７０Ｗとなるから、効率は８２．１％である。【００４２】  図５の太陽光発電システムは家電機器６の消費電力を図１と同じ２８５０Ｗ、ＤＣ−ＤＣチョッパー回路１２の効率を９０％、絶縁型ＤＣ−ＤＣコンバータ８ａ、８ｃの効率を９０％、インバータ８ｅ、８ｇの効率を９２％と仮定すると、ＤＣ−ＤＣチョッパー回路８の出力は３１０７Ｗ、太陽電池２の出力電力は３４５１Ｗとなるから、効率は８２．６％である。【００４３】  本発明の住宅用直流給電システムでは図４、図５の太陽光発電システムの太陽電池容量を約１０％削減できるので、太陽電池のコストダウンが可能となるばかりでなく、太陽電池の付帯設備費や据付工事費も低減できる。また、設置面積が減少するので設置自由度が向上することから、太陽電池を設置できる住宅が増加することも想定できる。また、パワーコンディショナ、蓄電池、チャージコントローラも不要となることから、大幅なコストダウン、信頼度向上が期待できる。
【図面の簡単な説明】
【００４４】
【図１】本発明に関わる家電機器と電気−熱変換装置を含めた太陽電池を用いた住宅用直流給電システのブロック図である。
【図２】太陽電池の出力電力をほぼ最大にする電気的特性を説明する図である。
【図３】一般的な太陽光発電システムを示すブロック図である。
【図４】家電機器の構成例を含めた現状の太陽光発電システムを示すブロック図である。
【図５】直流給電を主体とした太陽光発電システムを示すブロック図である。
【符号の説明】
【００４５】１  商用電源
２  太陽電池
３  逆流防止ダイオード
４  交流−直流電圧変換回路
５  ノイズフィルタ
６  家電機器
６ａ  ビデオの電源    ６ａ１  ノイズフィルタ  ６ａ２  整流回路  ６ａ３  平滑フィ                      ルタ  ６ａ４  絶縁型ＤＣ−ＤＣコンバータ
６ｂ  ビデオ
６ｃ  テレビの電源    ６ｃ１  ノイズフィルタ  ６ｃ２  整流回路  ６ｃ３  平滑フィ                      ルタ  ６ｃ４  絶縁型ＤＣ−ＤＣコンバータ
６ｄ  テレビ
６ｅ  洗濯機の電源    ６ｅ１  ノイズフィルタ  ６ｅ２  整流回路  ６ｅ３  平滑フィ                      ルタ  ６ｅ４  インバータ
６ｆ  洗濯機
６ｇ  掃除機の電源    ６ｇ１  ノイズフィルタ  ６ｇ２  整流回路  ６ｇ３  平滑フィ                      ルタ  ６ｇ４  インバータ
６ｈ  掃除機
７  電気−熱変換装置
８ａ  ビデオ６ｂの絶縁型ＤＣ−ＤＣコンバータ
８ｃ  テレビ６ｄの絶縁型ＤＣ−ＤＣコンバータ、
８ｅ  洗濯機６ｆのインバータ
８ｇ  掃除機６ｈのインバータ
９  パワーコンディショナ
１０  チャージコントローラ
１１  蓄電池
１２  ＤＣ−ＤＣチョッパー回路
１３  整流器
１４  交流電圧−直流電圧入力蓄熱装置
１５  家電機器６の入力スイッチ
１６  交流電圧−直流電圧入力蓄熱装置の入力切換スイッチ
Ｖｏｕｔ  出力電圧
Ｖ１  平均的日射時の太陽電池開放電圧
Ｖ２  最大日射時の太陽電池開放電圧
Ｖ３  交流−直流電圧変換回路無負荷電圧
Ａ  平均的日射時の太陽電池出力特性
Ｂ  最大日射時の太陽電池出力特性
Ｃ  交流−直流電圧変換回路出力特性
Ｄ  交流−直流電圧変換回路無負荷電圧
Ｅ  平均的日射時の太陽電池電圧
Ｆ  交流−直流電圧変換回路電圧
Ｇ  平均的日射時の太陽電池電圧
Ｈ  平均的日射時の太陽電池電圧，交流−直流電圧変換回路電圧
Ｊ  平均的日射時の太陽電池電圧
Ｋ  交流−直流電圧変換回路電圧
Ｌ  最大日射時の太陽電池電圧
Ｍ  平均的日射時の太陽電池電圧，交流−直流電圧変換回路電圧
Ｉｏｕｔ  出力電流
Ｉ１  平均的日射時の太陽電池短絡電流
Ｉ２  最大日射時の太陽電池短絡電流
Ｉ３  交流−直流電圧変換回路電圧Ｆにおける出力電流
Ｉ４  平均的日射時の太陽電池力電圧Ｇにおける出力電流
Ｉ５  平均的日射時の太陽電池電圧Ｊにおける出力電流
Ｉ６  交流−直流電圧変換回路電圧Ｋにおける出力電流
【図１】
2008283841.tif 000007
【図２】
2008283841.tif 000008
【図３】
2008283841.tif 000009
【図４】
2008283841.tif 000010
【図５】
2008283841.tif 000011